(57)【特許請求の範囲】
【請求項１】
時分割多重方式によって多重化された上り信号を受信する無線基地局装置であって、
当該無線基地局装置が上り信号を受信したかをスロット毎に判別する上り信号受信判別手段と、
フレーム中の規定スロットで前記上り信号受信判別手段が何フレーム連続して上り信号を受信していないかをカウントする第１のカウンタ手段と、
上り信号を復調して得られたベースバンド信号の受信電界強度（以下、ＲＳＳＩという）と第１のしきい値とをスロット毎に比較するＲＳＳＩ比較手段と、
フレーム中の前記規定スロットで前記ＲＳＳＩ比較手段が何フレーム連続してＲＳＳＩが前記第１のしきい値未満であるかをカウントする第２のカウンタ手段と、
前記第１のカウンタ手段でカウントされた値が所定数以上となり、かつ、前記第２のカウンタ手段でカウントされた値が所定数以上となったとき、復調回路に対するＤＣオフセットトレーニングの実施を指示する制御手段と、
を備えたことを特徴とする無線基地局装置。
【請求項２】
時分割多重方式によって多重化された上り信号を受信する無線基地局装置であって、
当該無線基地局装置が上り信号を受信したかをスロット毎に判別する上り信号受信判別手段と、
フレーム中の規定スロットで前記上り信号受信判別手段が何フレーム連続して上り信号を受信していないかをカウントする第１のカウンタ手段と、
前記第１のカウンタ手段でカウントされた値が所定数以上となったとき、復調回路に対するＤＣオフセットトレーニングの実施を指示する制御手段と、
を備えたことを特徴とする無線基地局装置。
【請求項３】
時分割多重方式によって多重化された上り信号を受信する無線基地局装置であって、
上り信号を復調して得られたベースバンド信号の受信電界強度（以下、ＲＳＳＩという）と第１のしきい値とをスロット毎に比較するＲＳＳＩ比較手段と、
フレーム中の規定スロットで前記ＲＳＳＩ比較手段が何フレーム連続してＲＳＳＩが前記第１のしきい値未満であるかをカウントする第２のカウンタ手段と、前記第２のカウンタ手段でカウントされた値が所定数以上となったとき、復調回路に対するＤＣオフセットトレーニングの実施を指示する制御手段と、
を備えたことを特徴とする無線基地局装置。
【請求項４】
前記制御手段によってＤＣオフセットトレーニングの実施が指示されると、
前記ＲＳＳＩ比較手段は、当該ＤＣオフセットトレーニングを行う予定の規定スロット前半のＲＳＳＩと第２のしきい値とを比較して、
前記ＤＣオフセットトレーニングは、前記規定スロット前半のＲＳＳＩが前記第２のしきい値未満であれば、前記規定スロットの後半で実施されることを特徴とする請求項１、２または３記載の無線基地局装置。
【請求項５】
フレーム中の規定スロットで前記上り信号受信判別手段が何フレーム連続して上り信号を受信していないかをカウントする第３のカウンタ手段と、
前記第３のカウンタ手段でカウントされた値が所定数以上となったとき、前記第１のしきい値または前記第２のしきい値を更新するしきい値更新手段と、を備え、
前記制御手段は、前記第３のカウンタ手段でカウントされた値が所定数以上となったとき、上り信号を受信していない規定スロットにおけるＲＳＳＩの平均値を計算し、当該ＲＳＳＩ平均値に一定値を加算して得られた値で前記第１のしきい値または前記第２のしきい値を更新するよう前記しきい値更新手段に指示することを特徴する請求項１、３または４記載の無線基地局装置。
【請求項６】
前記上り信号受信判別手段は、上り信号を復調して得られたベースバンド信号から同期ワードを検出することによって上り信号の受信の有無を判別することを特徴とする請求項１、２、４または５記載の無線基地局装置。
【請求項７】
前記復調回路は、上り信号を直交復調する直交復調器であることを特徴とする請求項１、２、３、４、５または６記載の無線基地局装置。
【請求項８】
時分割多重方式によって多重化された上り信号を受信する無線基地局装置のＤＣオフセットトレーニング方法であって、
当該無線基地局装置が上り信号を受信したかをスロット毎に判別する上り信号受信判別ステップと、
フレーム中の規定スロットで何フレーム連続して上り信号を受信していないかをカウントする第１のカウントステップと、
上り信号を復調して得られたベースバンド信号の受信電界強度（以下、ＲＳＳＩという）と第１のしきい値とをスロット毎に比較する第１のＲＳＳＩ比較ステップと、
フレーム中の前記規定スロットで何フレーム連続してＲＳＳＩが前記第１のしきい値未満であるかをカウントする第２のカウントステップと、
前記第１のカウントステップでカウントされた値が所定数以上となり、かつ、前記第２のカウントステップでカウントされた値が所定数以上となったとき、復調回路に対するＤＣオフセットトレーニングを実施するＤＣオフセットトレーニング実施ステップと、
を有することを特徴とするＤＣオフセットトレーニング方法。
【請求項９】
時分割多重方式によって多重化された上り信号を受信する無線基地局装置のＤＣオフセットトレーニング方法であって、
当該無線基地局装置が上り信号を受信したかをスロット毎に判別する上り信号受信判別ステップと、
フレーム中の規定スロットで何フレーム連続して上り信号を受信していないかをカウントする第１のカウントステップと、
前記第１のカウントステップでカウントされた値が所定数以上となったとき、復調回路に対するＤＣオフセットトレーニングを実施するＤＣオフセットトレーニング実施ステップと、
を有することを特徴とするＤＣオフセットトレーニング方法。
【請求項１０】
時分割多重方式によって多重化された上り信号を受信する無線基地局装置のＤＣオフセットトレーニング方法であって、
上り信号を復調して得られたベースバンド信号の受信電界強度（以下、ＲＳＳＩという）と第１のしきい値とをスロット毎に比較する第１のＲＳＳＩ比較ステップと、
フレーム中の規定スロットで何フレーム連続してＲＳＳＩが前記第１のしきい値未満であるかをカウントする第２のカウントステップと、
前記第２のカウントステップでカウントされた値が所定数以上となったとき、復調回路に対するＤＣオフセットトレーニングを実施するＤＣオフセットトレーニング実施ステップと、
を有することを特徴とするＤＣオフセットトレーニング方法。
【請求項１１】
ＤＣオフセットトレーニングを行う予定の規定スロット前半のＲＳＳＩと第２のしきい値とを比較する第２のＲＳＳＩ比較ステップを有し、
前記ＤＣオフセットトレーニング実施ステップは、前記規定スロット前半のＲＳＳＩが前記第２のしきい値未満であれば、前記規定スロットの後半でＤＣオフセットトレーニングを実施することを特徴とする請求項８、９または１０記載のＤＣオフセットトレーニング方法。
【請求項１２】
フレーム中の規定スロットで何フレーム連続して上り信号を受信していないかをカウントする第３のカウントステップと、
前記第３のカウントステップでカウントされた値が所定数以上となったとき、上り信号を受信していない規定スロットにおけるＲＳＳＩの平均値を計算するＲＳＳＩ平均値計算ステップと、
前記ＲＳＳＩ平均値計算ステップで算出されたＲＳＳＩ平均値に一定値を加算して得られた値で前記第１のしきい値または前記第２のしきい値を更新するしきい値更新ステップと、
を有することを特徴する請求項８、１０または１１記載のＤＣオフセットトレーニング方法。
【請求項１３】
請求項８、９、１０、１１または１２に記載のＤＣオフセットトレーニング方法をコンピュータに実行させるためのＤＣオフセットトレーニングプログラム。
【発明の詳細な説明】
【０００１】
【発明の属する技術分野】
本発明は無線基地局装置、ＤＣオフセットトレーニング方法および該方法を実行させるためのＤＣオフセットトレーニングプログラムに係り、特に、通信に支障をきたさないよう復調器等に対してＤＣオフセットトレーニングを行う無線基地局装置、ＤＣオフセットトレーニング方法およびＤＣオフセットトレーニングプログラムに関する。
【０００２】
【従来の技術】
従来の無線基地局装置では、素子またはＩＣのばらつきや温度変動等の環境変化によって装置内部の素子やＩＣの出力電圧にオフセットずれが生じると、受信性能が劣化してしまう。例えば、図８に示す従来の無線基地局装置に設けられた直交復調器の出力電圧にオフセットずれが生じると、後段のＡ／Ｄコンバータ（ＡＤＣ）で所望の変換結果が得られないため、結果的に受信性能が劣化してしまう。
【０００３】
より具体的に説明すると、図８に示したように、オフセットずれのない直交復調器から出力されたＩ成分のベースバンド信号（ベースバンドＩ）およびＱ成分のベースバンド信号（ベースバンドＱ）の電圧はそれぞれ０〜５［Ｖ］の範囲で変化し、直交復調器に入力（受信ＩＦ信号）がないときの出力電圧は上記０〜５［Ｖ］の中間値となる。この中間値は直交復調器の出力電圧のＤＣ成分（以下、ＤＣ電圧という）であるが、直交復調器にオフセットずれが生じてＤＣ電圧がシフトすると、ＤＣ電圧がシフトした分だけベースバンド信号の電圧が全体的にシフトしてしまう。
【０００４】
ベースバンド信号の電圧が全体的にシフトすると後段のＡＤＣから出力されるベースバンドデータの誤り率は高くなってしまい、受信性能の劣化といった結果を招くため、当該無線基地局装置では直交復調器に発生した出力電圧のオフセットずれを定期的に補正する必要があった。なお、出力電圧のオフセットずれに対する補正を「ＤＣオフセットトレーニング」という。ＤＣオフセットトレーニングは、トレーニング信号（ＲＸ＿ＤＣ）をオフすることにより直交復調器に入力される受信ＩＦ信号を遮断し、直交復調器から出力されるＤＣ電圧を測定して、これをベースバンド信号電圧のセンター値とすることによって行われる。
【０００５】
【発明が解決しようとする課題】
このように、ＤＣオフセットトレーニングは、誤り率の低減または受信性能の劣化防止といった点で上記従来の無線基地局装置にとっては必須の要件である。しかしながら、上記従来の無線基地局装置で採用されている多重化方式がＴＤＭＡ（時分割多重方式）で、フレーム中にＤＣオフセットトレーニングを実施するための空きスロットが設けられていない場合、受信ＩＦ信号を遮断してＤＣオフセットトレーニングを行うスロットでは復号化等の処理を行うことができないため、通信を行うためのスロットでＤＣオフセットトレーニングを行うと通信に支障をきたしてしまう恐れがある。
【０００６】
すなわち、図９に示すように、通信の開始または終了がフレームのスロット毎に任意のタイミングで行われるシステムにあっては、あるフレームの所定スロットで通信がない（受信データ無し）としても次のフレームで通信が開始（受信データ有り）されるといったことがある。このため、フレーム中の全スロットを連続受信する上記従来の無線基地局装置がこのようなシステムで用いられたとき、ＤＣオフセットトレーニングを定期的に行うと通信に支障をきたす確率が高くなってしまうという問題点があった。したがって、通信に支障をきたすことなくＤＣオフセットトレーニングを行うことのできる無線基地局装置が望まれていた。
【０００７】
本発明は、上記従来の事情または問題点に鑑みてなされたものであって、通信に支障をきたさないようＤＣオフセットトレーニング可能な無線基地局装置、ＤＣオフセットトレーニング方法およびＤＣオフセットトレーニングプログラムを提供することを目的としている。
【０００８】
【課題を解決するための手段】
上記課題を解決するために、本発明に係る無線基地局装置は、時分割多重方式によって多重化された上り信号を受信する無線基地局装置であって、当該無線基地局装置が上り信号を受信したかをスロット毎に判別する上り信号受信判別手段と、フレーム中の規定スロットで前記上り信号受信判別手段が何フレーム連続して上り信号を受信していないかをカウントする第１のカウンタ手段と、上り信号を復調して得られたベースバンド信号の受信電界強度（以下、ＲＳＳＩという）と第１のしきい値とをスロット毎に比較するＲＳＳＩ比較手段と、フレーム中の前記規定スロットで前記ＲＳＳＩ比較手段が何フレーム連続してＲＳＳＩが前記第１のしきい値未満であるかをカウントする第２のカウンタ手段と、前記第１のカウンタ手段でカウントされた値が所定数以上となり、かつ、前記第２のカウンタ手段でカウントされた値が所定数以上となったとき、復調回路に対するＤＣオフセットトレーニングの実施を指示する制御手段と、を備えたものである。
【０００９】
また、本発明に係る無線基地局装置は、時分割多重方式によって多重化された上り信号を受信する無線基地局装置であって、当該無線基地局装置が上り信号を受信したかをスロット毎に判別する上り信号受信判別手段と、フレーム中の規定スロットで前記上り信号受信判別手段が何フレーム連続して上り信号を受信していないかをカウントする第１のカウンタ手段と、前記第１のカウンタ手段でカウントされた値が所定数以上となったとき、復調回路に対するＤＣオフセットトレーニングの実施を指示する制御手段と、を備えたものである。
【００１０】
また、本発明に係る無線基地局装置は、時分割多重方式によって多重化された上り信号を受信する無線基地局装置であって、上り信号を復調して得られたベースバンド信号の受信電界強度（以下、ＲＳＳＩという）と第１のしきい値とをスロット毎に比較するＲＳＳＩ比較手段と、フレーム中の規定スロットで前記ＲＳＳＩ比較手段が何フレーム連続してＲＳＳＩが前記第１のしきい値未満であるかをカウントする第２のカウンタ手段と、前記第２のカウンタ手段でカウントされた値が所定数以上となったとき、復調回路に対するＤＣオフセットトレーニングの実施を指示する制御手段と、を備えたものである。
【００１１】
このように、本発明に係る無線基地局装置では、ＤＣオフセットトレーニングを、所定フレーム連続で上り信号を受信していないとき、所定フレーム連続でＲＳＳＩがしきい値未満のときの２つの条件の双方またはいずれか一方を満たしたとき行っているため、ＤＣオフセットトレーニングは通信トラヒックが低いときに限って行われることとなる。したがって、通信に支障をきたすことなくＤＣオフセットトレーニングが行うことができる。
【００１２】
また、本発明に係る無線基地局装置は、前記制御手段によってＤＣオフセットトレーニングの実施が指示されると、前記ＲＳＳＩ比較手段は、当該ＤＣオフセットトレーニングを行う予定の規定スロット前半のＲＳＳＩと第２のしきい値とを比較して、前記ＤＣオフセットトレーニングは、前記規定スロット前半のＲＳＳＩが前記第２のしきい値未満であれば、前記規定スロットの後半で実施される。
【００１３】
したがって、制御手段によってＤＣオフセットトレーニングの実施が指示されても、規定スロットで上り信号を受信したときは規定スロット前半のＲＳＳＩが第２のしきい値以上となりＤＣオフセットトレーニングは行われないため、上り信号を確実に受信することができる。結果として、ＤＣオフセットトレーニングが通信に支障をきたしてしまう可能性をより小さくできる。
【００１４】
また、本発明に係る無線基地局装置は、フレーム中の規定スロットで前記上り信号受信判別手段が何フレーム連続して上り信号を受信していないかをカウントする第３のカウンタ手段と、前記第３のカウンタ手段でカウントされた値が所定数以上となったとき、前記第１のしきい値または前記第２のしきい値を更新するしきい値更新手段と、を備え、前記制御手段は、前記第３のカウンタ手段でカウントされた値が所定数以上となったとき、上り信号を受信していない規定スロットにおけるＲＳＳＩの平均値を計算し、当該ＲＳＳＩ平均値に一定値を加算して得られた値で前記第１のしきい値または前記第２のしきい値を更新するよう前記しきい値更新手段に指示する。したがって、周囲雑音の変動に適応した最適なしきい値を設定しなおすことができる。
【００１５】
また、本発明に係る無線基地局装置の前記上り信号受信判別手段は、上り信号を復調して得られたベースバンド信号から同期ワードを検出することによって上り信号の受信の有無を判別する。
【００１６】
また、本発明に係る無線基地局装置の前記復調回路は、上り信号を直交復調する直交復調器である。
【００１７】
また、本発明に係る無線基地局装置のＤＣオフセットトレーニング方法は、時分割多重方式によって多重化された上り信号を受信する無線基地局装置のＤＣオフセットトレーニング方法であって、当該無線基地局装置が上り信号を受信したかをスロット毎に判別する上り信号受信判別ステップと、フレーム中の規定スロットで何フレーム連続して上り信号を受信していないかをカウントする第１のカウントステップと、上り信号を復調して得られたベースバンド信号の受信電界強度（以下、ＲＳＳＩという）と第１のしきい値とをスロット毎に比較する第１のＲＳＳＩ比較ステップと、フレーム中の前記規定スロットで何フレーム連続してＲＳＳＩが前記第１のしきい値未満であるかをカウントする第２のカウントステップと、前記第１のカウントステップでカウントされた値が所定数以上となり、かつ、前記第２のカウントステップでカウントされた値が所定数以上となったとき、復調回路に対するＤＣオフセットトレーニングを実施するＤＣオフセットトレーニング実施ステップと、を有する。
【００１８】
また、本発明に係るＤＣオフセットトレーニング方法は、時分割多重方式によって多重化された上り信号を受信する無線基地局装置のＤＣオフセットトレーニング方法であって、当該無線基地局装置が上り信号を受信したかをスロット毎に判別する上り信号受信判別ステップと、フレーム中の規定スロットで何フレーム連続して上り信号を受信していないかをカウントする第１のカウントステップと、前記第１のカウントステップでカウントされた値が所定数以上となったとき、復調回路に対するＤＣオフセットトレーニングを実施するＤＣオフセットトレーニング実施ステップと、を有する。
【００１９】
また、本発明に係るＤＣオフセットトレーニング方法は、時分割多重方式によって多重化された上り信号を受信する無線基地局装置のＤＣオフセットトレーニング方法であって、上り信号を復調して得られたベースバンド信号の受信電界強度（以下、ＲＳＳＩという）と第１のしきい値とをスロット毎に比較する第１のＲＳＳＩ比較ステップと、フレーム中の規定スロットで何フレーム連続してＲＳＳＩが前記第１のしきい値未満であるかをカウントする第２のカウントステップと、前記第２のカウントステップでカウントされた値が所定数以上となったとき、復調回路に対するＤＣオフセットトレーニングを実施するＤＣオフセットトレーニング実施ステップと、を有する。
【００２０】
また、本発明に係るＤＣオフセットトレーニング方法は、ＤＣオフセットトレーニングを行う予定の規定スロット前半のＲＳＳＩと第２のしきい値とを比較する第２のＲＳＳＩ比較ステップを有し、前記ＤＣオフセットトレーニング実施ステップは、前記規定スロット前半のＲＳＳＩが前記第２のしきい値未満であれば、前記規定スロットの後半でＤＣオフセットトレーニングを実施する。
【００２１】
また、本発明に係るＤＣオフセットトレーニング方法は、フレーム中の規定スロットで何フレーム連続して上り信号を受信していないかをカウントする第３のカウントステップと、前記第３のカウントステップでカウントされた値が所定数以上となったとき、上り信号を受信していない規定スロットにおけるＲＳＳＩの平均値を計算するＲＳＳＩ平均値計算ステップと、前記ＲＳＳＩ平均値計算ステップで算出されたＲＳＳＩ平均値に一定値を加算して得られた値で前記第１のしきい値または前記第２のしきい値を更新するしきい値更新ステップと、を有する。
【００２２】
さらに、本発明に係るＤＣオフセットトレーニングプログラムは、請求項８、９、１０、１１または１２に記載のＤＣオフセットトレーニング方法をコンピュータに実行させるためのものである。
【００２３】
【発明の実施の形態】
本発明に係る無線基地局装置は、主に基地局として用いられ、当該装置と通信可能な無線端末から送信された上り信号の存否に応じて、無線端末と通信を確立するものである。また、誤り率の低減または受信性能の劣化防止を目的としてＤＣオフセットトレーニング（出力電圧のオフセットずれに対する補正）を行うが、定期的にではなく以下説明する条件を満たしたときに行う。
【００２４】
以下、本発明に係る無線基地局装置およびＤＣオフセットトレーニング方法の実施の形態について、〔第１の実施形態〕、〔第２の実施形態〕の順に図面を参照して詳細に説明する。なお、本発明に係るＤＣオフセットトレーニングプログラムについては、ＤＣオフセットトレーニング方法を実行させるためのプログラムであることから、その説明は以下のＤＣオフセットトレーニング方法の説明に含まれる。
【００２５】
〔第１の実施形態〕
図１は、本発明に係る第１の実施形態の無線基地局装置を示すブロック図である。同図において、第１の実施形態の無線基地局装置は、多重化方式としてＴＤＭＡ（時分割多重方式）が採用されており、アンテナ１０１と、バンドパスフィルタ１０３ａ〜１０３ｃと、ＬＮＡ（Ｌｏｗ  Ｎｏｉｓｅ  Ａｍｐｌｉｆｉｅｒ）１０５と、ミキサ１０７および局部発振器１０９と、直交復調器（Ｑ−ＤＥＭ）１１３および局部発振器１１５と、Ａ／Ｄコンバータ（ＡＤＣ）１１７と、復号部１５１と、特許請求の範囲の上り信号受信判別手段に該当する同期ワード検出部１５３と、ＲＳＳＩ比較手段に該当するＲＳＳＩ比較部１５５と、しきい値更新手段に該当するＲＳＳＩしきい値設定部１５７と、制御手段に該当する制御部１５９と、第１のカウンタ手段に該当する第１のカウンタ部１６１ａと、第２のカウンタ手段に該当する第２のカウンタ部１６１ｂと、第３のカウンタ手段に該当する第３のカウンタ部１６１ｃとを備えて構成されている。
【００２６】
なお、図１において点線で囲まれた、復号部１５１、同期ワード検出部１５３、第１のカウンタ部１６１ａ、ＲＳＳＩ比較部１５５、ＲＳＳＩしきい値設定部１５７、第２のカウンタ部１６１ｂ、制御部１５９および第３のカウンタ部１６１ｃはＤＳＰによって実現されている。
【００２７】
以下、アンテナ１０１、バンドパスフィルタ１０３ａ〜１０３ｃ、ＬＮＡ１０５、ミキサ１０７および局部発振器１０９，１１５を除く各構成要素について説明する。まず、直交復調器１１３は、受信信号を直交復調するものであり、Ｉ成分およびＱ成分の各ベースバンド信号（以下、単にベースバンド信号という）を出力する。また、ＡＤＣ１１７は、アナログのベースバンド信号をＡ／Ｄ変換するものであり、デジタルのベースバンドデータを出力する。
【００２８】
また、復号部１５１は、ＡＤＣ１１７からのベースバンドデータを復号化するものである。ベースバンドデータが復号化されることによって、復号部１５１からは復号データと共にベースバンド信号の受信電界強度（以下、ＲＳＳＩという）に関するデータが得られる。また、同期ワード検出部１５３は、復号部１５１から得られた復号データから同期ワードを検出するものである。同期ワードを検出することによって、無線端末から送信される上り信号の受信の有無を判別することができる。なお、同期ワードとは、無線端末から送信された上り信号（受信データ）の一部であり、無線基地局装置と無線端末とが同期をとるためのデータである。
【００２９】
また、第１のカウンタ部１６１ａは、同期ワード検出部１５３が規定のスロットで何フレーム連続して同期ワードを検出できなかったかをカウントするものである。第１のカウンタ部１６１ａは、所定フレーム数（以下、Ｎフレームとする）連続して同期ワードを検出できなかったとき、制御部１５９にこれを通知する。
【００３０】
また、ＲＳＳＩ比較部１５５は、復号部１５１から得られたベースバンド信号のＲＳＳＩに関するデータとＲＳＳＩしきい値設定部１５７によって予め定められたしきい値とを比較するものである。ＲＳＳＩしきい値設定部１５７は、ＲＳＳＩ比較部１５５においてベースバンド信号のＲＳＳＩと比較するためのしきい値を、制御部１５９からのしきい値更新指示に応じて設定するものである。
【００３１】
また、第２のカウンタ部１６１ｂは、ＲＳＳＩ比較部１５５が規定のスロットで何フレーム連続してＲＳＳＩがしきい値未満であるかをカウントするものである。第２のカウンタ部１６１ｂは、所定フレーム数（Ｎフレーム）連続してＲＳＳＩがしきい値未満であったとき、制御部１５９にこれを通知する。
【００３２】
また、第３のカウンタ部１６１ｃは、同期ワード検出部１５３が規定のスロットで何フレーム連続して同期ワードを検出できなかったかをカウントするものである。第３のカウンタ部１６１ｃは、所定フレーム数（以下、Ｎフレームとする）連続して同期ワードを検出できなかったとき、制御部１５９にこれを通知する。
【００３３】
また、制御部１５９は、第１のカウンタ部１６１ａおよび／または第２のカウンタ部１６１ｂからの通知に応じて、ＤＣオフセットトレーニングの実行を指示するものである。より具体的には、図２に示すように、通信中（受信データ有り）の所定のスロットで通信が終了（受信データ無し）し、当該所定のスロットにおいて、Ｎフレーム連続して受信データが無い（同期ワードが検出できない）といった条件▲１▼、およびＮフレーム連続してＲＳＳＩがしきい値未満といった条件▲２▼の双方またはいずれか一方を満たせば、制御部１５９は、通信が終了してからＮ＋１番目のフレームの所定スロットでＤＣオフセットトレーニングを行う。なお、ＤＣオフセットトレーニングを開始するとき、制御部１５９は、直交復調器１１３に入力されていた受信ＩＦ信号を遮断するよう直交復調器１１３を制御する。
【００３４】
また、制御部１５９は、第３のカウンタ部１６１ｃからの通知に応じて、Ｎフレーム連続して同期ワードを検出できなかったスロット、すなわち受信データが無いスロットのＲＳＳＩの平均値を計算し、これに一定値を加算した値を新しいしきい値とするようＲＳＳＩしきい値設定部１５７に指示する。なお、前記Ｎ値は制御部１５９によって設定変更可能である。
【００３５】
次に、上記説明した構成要素を備えた本実施形態の無線基地局装置が行うＤＣオフセットトレーニング方法について、図３および図４を参照して説明する。図３は第１の実施形態の無線基地局装置が行う第１のＤＣオフセットトレーニング方法について説明するフローチャートであり、図４は第１の実施形態の無線基地局装置が行う第２のＤＣオフセットトレーニング方法について説明するフローチャートである。
【００３６】
まず、第１のＤＣオフセットトレーニング方法では、条件▲１▼「受信データ（同期ワード）の有無」および条件▲２▼「ＲＳＳＩとしきい値との比較」の双方が共に満たされればＤＣオフセットトレーニングを行う。すなわち、条件▲１▼と条件▲２▼がＡＮＤの関係である。以下、第１のＤＣオフセットトレーニング方法について図３を参照して詳細に説明する。
【００３７】
まず、ステップＳ２０１では、本実施形態の無線基地局装置がフレーム中の全スロットにおいて受信を開始する。次に、ステップＳ２０３では、規定のスロットにおける通信状況の監視を開始する。ここで、規定のスロットとは、フレーム中のある１つのスロットでも全てのスロットでも良い。次に、ステップＳ２０５では、上記条件▲１▼を満たすかを調べるために、Ｎフレーム連続して受信データを受信しなかったかを判断する。当該ステップＳ２０５において、Ｎフレーム経過前に受信データがあればステップＳ２０３に戻り、Ｎフレーム連続して受信データがなければステップＳ２０７に進む。
【００３８】
ステップＳ２０７では、上記条件▲２▼を満たすかを調べるために、Ｎフレーム連続してベースバンド信号のＲＳＳＩがしきい値未満であるかを判断する。当該ステップＳ２０７において、Ｎフレーム経過前にしきい値以上のＲＳＳＩのベースバンド信号を受信すればステップＳ２０３に戻り、Ｎフレーム連続してＲＳＳＩがしきい値未満であればステップＳ２０９に進む。ステップＳ２０９では、Ｎ＋１番目のフレームの規定スロットでＤＣオフセットトレーニングを実施して、一連の処理を終了する。なお、ステップＳ２０５およびＳ２０７で用いられるＮ値は制御部１５９によって設定変更可能である。
【００３９】
次に、第２のＤＣオフセットトレーニング方法について説明する。第２のＤＣオフセットトレーニング方法では、条件▲１▼「受信データの有無」および条件▲２▼「ＲＳＳＩとしきい値との比較」のいずれか一方が満たされればＤＣオフセットトレーニングを行う。すなわち、条件▲１▼と条件▲２▼がＯＲの関係である。以下、第２のＤＣオフセットトレーニング方法について図４を参照して詳細に説明する。
【００４０】
まず、第１のＤＣオフセットトレーニング方法と同様に、ステップＳ３０１でフレーム中の全スロットにおいて受信を開始し、ステップＳ３０３で規定のスロットにおける通信状況の監視を開始する。次に、ステップＳ３０５では、上記条件▲１▼を満たすかを調べるために、Ｎフレーム連続して受信データを受信しなかったかを判断する。当該ステップＳ３０５において、Ｎフレーム経過前に受信データがあればステップＳ３０７に進み、Ｎフレーム連続して受信データがなければステップＳ３０９に進む。
【００４１】
ステップＳ３０７では、上記条件▲２▼を満たすかを調べるために、Ｎフレーム連続してベースバンド信号のＲＳＳＩがしきい値未満であるかを判断する。当該ステップＳ２０７において、Ｎフレーム経過前にしきい値以上のＲＳＳＩのベースバンド信号を受信すればステップＳ３０３に戻り、Ｎフレーム連続してＲＳＳＩがしきい値未満であればステップＳ３０９に進む。ステップＳ３０９では、Ｎ＋１番目のフレームの規定スロットでＤＣオフセットトレーニングを実施して、一連の処理を終了する。なお、ステップＳ３０５およびＳ３０７で用いられるＮ値は、第１のＤＣオフセットトレーニング方法と同様に、制御部１５９によって設定変更可能である。
【００４２】
次に、図２のステップＳ２０７および図３のステップＳ３０７で利用されるしきい値の更新方法について説明する。図５は、第１の実施形態の無線基地局装置が行うしきい値更新方法に説明するフローチャートである。同図に示すように、ステップＳ４０１では、本実施形態の無線基地局装置がフレーム中の全スロットにおいて受信を開始する。次に、ステップＳ４０３では、規定のスロットにおける通信状況の監視を開始する。次に、ステップＳ４０５では、Ｎフレーム連続して受信データを受信しなかったかを判断する。当該ステップＳ４０５において、Ｎフレーム経過前に受信データがあればステップＳ４０３に戻り、Ｎフレーム連続して受信データがなければステップＳ４０７に進む。
【００４３】
ステップＳ４０７では、受信データのないＮフレームのＲＳＳＩの平均値を計算する。次に、ステップＳ４０９では、ＲＳＳＩの平均値に一定値を加算してこれを新たなしきい値とする。最後に、ステップＳ４１１では、新しいしきい値をＲＳＳＩしきい値設定部１５７に設定して、しきい値更新に関する一連の処理を終了する。
【００４４】
以上説明したように、本実施形態の無線基地局装置およびＤＣオフセットトレーニング方法では、ＤＣオフセットトレーニングを、従来のように定期的にではなく、条件▲１▼「受信データの有無」および条件▲２▼「ＲＳＳＩとしきい値との比較」の双方が共に満たされたとき、または、条件▲１▼および条件▲２▼のいずれか一方が満たされたときに行っている。より具体的には、Ｎフレーム連続で受信データが無いときおよび／またはＮフレーム連続でＲＳＳＩがしきい値未満のときにＤＣオフセットトレーニングを行っているのであるが、このようなときはＮ＋１番目のフレームの規定スロットで通信が開始される可能性が低いと考えられるため、本実施形態では当該フレームの規定スロットでＤＣオフセットトレーニングを行っている。
【００４５】
結果として、環境変化による受信性能の劣化を防止可能なＤＣオフセットトレーニングは、通信トラヒックが高いときには行われず、通信トラヒックが低いときに限って行われることとなるため、通信に支障をきたすことなくＤＣオフセットトレーニングが行われるようになる。また、上述したしきい値更新方法によってしきい値を変更可能とすることによって、周囲雑音の変動に適応した最適なしきい値を設定しなおすことができる。
【００４６】
なお、上述したように、条件▲１▼および条件▲２▼で用いられるＮ値は、制御部１５９によって設定変更可能である。Ｎ値を変更することによって、通信に支障をきたすか否かといった通信確立の信頼性と、直交復調器１１３のＤＣオフセットの変化（ずれ）に対する適応速度とのバランスを調整することができる。すなわち、Ｎ値を大きくすれば確率的に通信確立の信頼性は増すが、直交復調器１１３のＤＣオフセットの変化（ずれ）に対する適応速度は低下する。反対に、Ｎ値を小さくすればＤＣオフセットの変化に対する適応速度は増すが、通信確立の信頼性は低下する。
【００４７】
〔第２の実施形態〕
第１の実施形態では、ＤＣオフセットトレーニングを行う期間がスロット全体に対して割り当てられているため、ＤＣオフセットトレーニングを行うよう決定された規定スロットでたまたま通信開始の信号が無線端末から送信された場合は、ＤＣオフセットトレーニングが通信の妨げとなってしまう。すなわち、当該スロットでＤＣオフセットトレーニングを行っており、受信ＩＦ信号が遮断されているため、直交復調および復号化等の後段における処理を行うことができず、ＤＣオフセットトレーニングが結果的には通信に支障をきたしてしまうこととなる。第２の実施形態ではこの問題点を解消すべく、ＤＣオフセットトレーニングを行う期間をスロット全体ではなく一部のみに割り当てている。
【００４８】
以下、第２の実施形態の無線基地局装置およびＤＣオフセットトレーニング方法の詳細について説明する。なお、本実施形態の無線基地局装置の構成は、図１に示した第１の実施形態のそれと同一であるため説明を省略する。
【００４９】
図６に示すように、本実施形態におけるＤＣオフセットトレーニングは、第１の実施形態で説明した条件▲１▼および／または条件▲２▼を満たしたフレームの次のフレーム（Ｎ＋１番目のフレーム）における規定スロットの前半にベースバンド信号のＲＳＳＩを測定した後に行われる。したがって、ＤＣオフセットトレーニングは規定スロットの後半に行われることとなるが、実際にＤＣオフセットトレーニングを行うか否かはＲＳＳＩの測定結果に依る。
【００５０】
すなわち、ＲＳＳＩの測定結果が所定のしきい値未満であれば、当該規定スロットで通信開始の信号を受信していないと判断し、上述したように、規定スロットの後半でＤＣオフセットトレーニングを行う。しかしながら、ＲＳＳＩの測定結果がしきい値以上であれば、当該規定スロットで通信開始の信号を受信した可能性があると判断してＤＣオフセットトレーニングは行わず、そのまま受信状態を継続する。なお、本実施形態の説明では、規定スロット前半のＲＳＳＩと比較されるしきい値を、条件▲２▼で用いられるしきい値と区別するために「第２のしきい値」という。また、条件▲２▼で用いられるしきい値を「第１のしきい値」という。
【００５１】
次に、本実施形態の無線基地局装置が行うＤＣオフセットトレーニング方法について、図７を参照して説明する。図７は、第２の実施形態の無線基地局装置が行うＤＣオフセットトレーニング方法について説明するフローチャートである。まず、第１の実施形態のＤＣオフセットトレーニング方法と同様に、ステップＳ７０１でフレーム中の全スロットにおいて受信を開始し、ステップＳ７０３で規定のスロットにおける通信状況の監視を開始する。次に、ステップＳ７０５では、条件▲１▼および／または条件▲２▼を満たすか否かを判断し、条件を満たさなければステップＳ７０３に戻り、条件を満たせばステップＳ７０７に進む。
【００５２】
ステップＳ７０７では、規定スロット前半のベースバンド信号のＲＳＳＩを測定して、当該ＲＳＳＩが第２のしきい値以上であればＤＣオフセットトレーニングは行わずにステップＳ７０３に戻り、ＲＳＳＩが第２のしきい値未満であればステップＳ７０９に進む。ステップＳ７０９では、前記規定スロットの後半でＤＣオフセットトレーニングを実施して、一連の処理を終了する。
【００５３】
なお、ステップＳ７０５で用いられるＮ値は、第１の実施の形態と同様に、制御部１５９によって設定変更可能である。また、第２のしきい値は第１の実施形態で説明した第１のしきい値と同様に更新可能であり、その更新方法は第１の実施形態で説明したしきい値更新方法と同様であるため説明を省略する。
【００５４】
以上説明したように、本実施形態の無線基地局装置およびＤＣオフセットトレーニング方法では、条件▲１▼および／または条件▲２▼を満たしても、規定スロットの前半で測定されたベースバンド信号のＲＳＳＩを第２のしきい値と比較して、当該ＲＳＳＩが第２のしきい値未満であれば、規定スロットの後半でＤＣオフセットトレーニングを行っている。したがって、条件▲１▼および／または条件▲２▼を満たしても当該規定スロットで通信開始の信号を受信したときは、規定スロット前半のベースバンド信号のＲＳＳＩがしきい値以上となるためＤＣオフセットトレーニングは行われず、本実施形態の無線基地局装置は無線端末からの信号を確実に受信することができる。結果として、ＤＣオフセットトレーニングが通信に支障をきたしてしまう可能性が第１の実施の形態よりも低減される。
【００５５】
【発明の効果】
以上説明したように、本発明の無線基地局装置、ＤＣオフセットトレーニング方法およびＤＣオフセットトレーニングプログラムによれば、ＤＣオフセットトレーニングを、所定フレーム連続で上り信号を受信していないとき、所定フレーム連続でＲＳＳＩがしきい値未満のときの２つの条件の双方またはいずれか一方を満たしたとき行っているため、ＤＣオフセットトレーニングは通信トラヒックが低いときに限って行われることとなる。したがって、通信に支障をきたすことなくＤＣオフセットトレーニングが行うことができる。
【図面の簡単な説明】
【図１】本発明に係る第１の実施形態の無線基地局装置を示すブロック図
【図２】第１の実施形態の無線基地局装置におけるＤＣオフセットトレーニングの開始タイミングを示す説明図
【図３】第１の実施形態の無線基地局装置が行う第１のＤＣオフセットトレーニング方法について説明するフローチャート
【図４】第１の実施形態の無線基地局装置が行う第２のＤＣオフセットトレーニング方法について説明するフローチャート
【図５】第１の実施形態の無線基地局装置が行うしきい値更新方法に説明するフローチャート
【図６】第２の実施形態の無線基地局装置におけるＤＣオフセットトレーニングの開始タイミングを示す説明図
【図７】第２の実施形態の無線基地局装置が行うＤＣオフセットトレーニング方法について説明するフローチャート
【図８】従来の無線基地局装置とベースバンド信号およびＤＣ電圧の一例を示す説明図
【図９】スロット構成例を示す説明図
【符号の説明】
１０１  アンテナ
１０３ａ〜１０３ｃ  バンドパスフィルタ
１０５  ＬＮＡ
１０７  ミキサ
１０９，１１５  局部発振器
１１３  直交復調器（Ｑ−ＤＥＭ）
１１７  Ａ／Ｄコンバータ（ＡＤＣ）
１５１  復号部
１５３  同期ワード検出部
１５５  ＲＳＳＩ比較部
１５７  ＲＳＳＩしきい値設定部
１５９  制御部
１６１ａ〜１６１ｃ  第１〜第３のカウンタ部
【図１】
0003553915.tif 000002
【図２】
0003553915.tif 000003
【図３】
0003553915.tif 000004
【図４】
0003553915.tif 000005
【図５】
0003553915.tif 000006
【図６】
0003553915.tif 000007
【図７】
0003553915.tif 000008
【図８】
0003553915.tif 000009
【図９】
0003553915.tif 000010